(57)【要約】【課題】かみそりヘッドが浮動支持されている電気かみそりにおいて、ケース構造を簡素化して、部品点数と組み立ての手間を削減し、電気かみそりの製造に要するコストを減らす。併せて、スイッチパネルの構造強度を強化し、本体ケースから分離し難いものにする。【解決手段】作動ユニット２と、作動ユニット２を収容する本体ケース１とを有する。作動ユニット２は、かみそりヘッド２Ｂと電装品ユニット２Ａとからなる。かみそりヘッド２Ｂは本体ケース１に対して浮動自在に支持されている。本体ケース１は上面のみが開口する状態で有底筒状に形成する。本体ケース１の上面開口から電装品ユニット２Ａをケース内に装填し、そのフレーム１６にケース底壁の側からビス３８をねじ込んで、電装品ユニット２Ａを本体ケース１に締結固定する。本体ケース１の前面に装着部９を段落ち形成し、樋体状に形成したスイッチパネル３を装着部９に固定する。【選択図】　　　　図１
2004016272.tif 000002
【特許請求の範囲】
【請求項１】
かみそりヘッド２Ｂおよび電装品ユニット２Ａを含む作動ユニット２と、作動ユニット２を収容する筒状の本体ケース１と、本体ケース１の外面に固定されるスイッチパネル３と、モーター２６への通電を制御するスイッチ機構とを含み、かみそりヘッド２Ｂが本体ケース１に対して上下動自在に支持してある電気かみそりであって、
本体ケース１は上面のみが開口する状態で有底筒状に形成されており、
本体ケース１の上面開口からケース内に装填した電装品ユニット２Ａが、ケース底壁の側からねじ込んだビス３８で本体ケース１に締結されている電気かみそり。
【請求項２】
スイッチ機構が、スイッチパネル３の内外面に組み付けられた外操作機構４２Ａと、本体ケース１内に組み付けられてモーター２６の給電路をオン状態とオフ状態とに切り換える内操作機構４２Ｂとで構成されており、
両操作機構４２Ａ・４２Ｂが、本体ケース１に開口した通口５６を介して連動可能に連結してある請求項１記載の電気かみそり。
【請求項３】
本体ケース１の開口と、本体ケース１の開口から突出するかみそりヘッド２Ｂとの間が、かみそりヘッド２Ｂと電装品ユニット２Ａとの間に装着したシール体１５で封止されている請求項１記載の電気かみそり。
【請求項４】
本体ケース１の前面から両側面にわたって、他のケース部位から段落ち形成された装着部９が設けられており、
前壁３ａと左右の側壁３ｂを含んで樋体断面状に形成したスイッチパネル３が、装填部９に装着固定されている請求項１記載の電気かみそり。
【請求項５】
スイッチ機構が、スイッチパネル３の外面に配置されて往復スライド自在に支持されたスイッチノブ６と、スイッチパネル３の内面に配置されてスイッチノブ６と同行スライドするロック片４４と、ロック片４４のスライド動作を揺動動作に変換する第１レバー４５と、本体ケース１の内面に配置されて第１レバー４５の動作を受け継ぐ第２レバー４６と、第２レバー４６で往復スライド操作されるスイッチピース４７とを含んでいる請求項２記載の電気かみそり。
【請求項６】
スイッチノブ６が、スイッチパネル３に開口したスライド穴４３で上下スライドのみ自在に支持されたノブ６ａと、ノブ６ａで出没自在に支持されるボタン６ｂとからなり、
ロック片４４は、ノブ６ａに同行スライド可能に連結される枠体４８と、ボタン６ｂでロック解除操作されるロック腕４９と、枠体４８の下部に設けたクリック腕５０とを一体に備えており、
第１レバー４５は、揺動のみ自在に支持されて、その揺動先端がロック片４４に連結されており、
スイッチノブ６がオフ位置にあるとき、ロック片４４の枠体４８の一部と、第１レバー４５の揺動基部とが、前後に重なっている請求項５記載の電気かみそり。
【発明の詳細な説明】
【０００１】
【発明の属する技術分野】
この発明は、作動ユニットが筒状の本体ケースに装填してある電気かみそり、なかでも作動ユニットの上部のかみそりヘッドが本体ケースに対して浮動支持された電気かみそりに関する。
【０００２】
【従来の技術】
この種の電気かみそりは、本出願人の出願に係る特開２０００−４２２６４号公報に公知である。そこでは、作動ユニットと、作動ユニットを収容する筒状の本体ケースと、その底面を塞ぐ底ケースと、本体ケースの前面側に配置されるスイッチ機構などで電気かみそりを構成している。作動ユニットは、かみそりヘッドと電装品ユニットとを含み、かみそりヘッドが本体ケースに対して上下浮動できるように支持してある。本体ケースと、ケース内部に収容される電装品ユニットと、底ケースとの三者は、底ケースの下面側からねじ込んだビスで一体に締結してある。スイッチ機構は、本体ケースの前面に圧嵌固定される平板状のスイッチパネルと、スライドノブと、スライドノブのスライド動作を回転動作に変換する外レバーおよび内レバーと、内レバーでオフ位置とオン位置とにスライド操作されるスイッチ片などで構成してある。
【０００３】
【発明が解決しようとする課題】
上記の電気かみそりでは、上下両面が開口する本体ケースの内部に作動ユニットを収容したうえで、本体ケースとは別に設けた底ケースで本体ケースの底開口を塞いでいる。そのため、底ケースの分だけ電気かみそりの構成部品点数が増える。とくに、水洗い可能に構成した電気かみそりにおいては、本体ケースの内部の電装ユニットを保護する必要上、本体ケースの上部開口と、本体ケースと底ケースとの間をそれぞれシールする必要があり、シール構造が複雑になる。
【０００４】
スイッチパネルは上下に長い盾形に形成してあり、本体ケースの前面に凹み形成した装填凹部に嵌め込み固定してある。そのため、ひげそり時に毛屑がパネル表面に降りかかるのを避けられず、スイッチパネルと装填凹部との間の隙間や、スライドノブの内面に毛屑や埃が詰まりやすい。スイッチパネルの周縁数箇所に係合爪を設け、装填凹部の係合溝に該係合爪を圧嵌係合して固定するので、外部から左右方向の衝撃荷重を受けた場合に充分な係合強度を確保できず、例えば落下衝撃などでスイッチパネルが本体ケースから脱落することがある。
【０００５】
この発明の目的は、本体ケースを含むケース構造の構成部品点数を減らして、ケース構造およびこれに付随する密封構造の簡素化を実現し、その分だけ製造コストを減少できる電気かみそりを提供することにある。この発明の目的は、本体ケースの前面に設けられるスイッチパネルまわりへの毛屑などの目詰まりを解消でき、強い衝撃力を受けた場合でも、組み付け状態を維持し続けることができる、頑丈なスイッチパネルを備えた電気かみそりを提供することにある。この発明の目的は、構造強度に優れたスイッチパネルを備えており、スイッチパネルと本体ケースとの協同作用によって、高度の強度耐久性を発揮する電気かみそりを提供することにある。
【０００６】
【課題を解決するための手段】
この発明の電気かみそりでは、かみそりヘッド２Ｂと電装品ユニット２Ａとを含む作動ユニット２と、作動ユニット２を収容する筒状の本体ケース１と、本体ケース１の外面に固定されるスイッチパネル３と、モーター２６への通電を制御するスイッチ機構とを含み、かみそりヘッド２Ｂが本体ケース１に対して上下動自在に支持されている。本体ケース１は上面のみが開口する状態で有底筒状に形成されており、本体ケース１の上面開口からケース内に装填した電装品ユニット２Ａが、ケース底壁の側からねじ込んだビス３８で本体ケース１に締結されている。
【０００７】
具体的には、スイッチ機構が、スイッチパネル３の内外面に組み付けられた外操作機構４２Ａと、本体ケース１内に組み付けられてモーター２６の給電路をオン状態とオフ状態とに切り換える内操作機構４２Ｂとで構成されており、両操作機構４２Ａ・４２Ｂが、本体ケース１に開口した通口５６を介して連動可能に連結されている。
【０００８】
本体ケース１の開口と、本体ケース１の開口から突出するかみそりヘッド２Ｂとの間は、かみそりヘッド２Ｂと電装品ユニット２Ａとの間に装着したシール体１５で封止することができる。
【０００９】
本体ケース１の前面から両側面にわたって、他のケース部位から段落形成された装着部９が設けられており、前壁３ａと左右の側壁３ｂを含んで樋体断面状に形成したスイッチパネル３が、装填部９に装着固定されている。
【００１０】
スイッチ機構は、スイッチパネル３の外面に配置されて往復スライド自在に支持されたスイッチノブ６と、スイッチパネル３の内面に配置されてスイッチノブ６と同行スライドするロック片４４と、ロック片４４のスライド動作を揺動動作に変換する第１レバー４５と、本体ケース１の内面に配置されて第１レバー４５の動作を受け継ぐ第２レバー４６と、第２レバー４６で往復スライド操作されるスイッチピース４７とを含んでいる。
【００１１】
スイッチノブ６は、スイッチパネル３に開口したスライド穴４３で上下スライドのみ自在に支持されたノブ６ａと、ノブ６ａで出没自在に支持されるボタン６ｂとからなる。ロック片４４は、ノブ６ａに同行スライド可能に連結される枠体４８と、ボタン６ｂでロック解除操作されるロック腕４９と、枠体４８の下部に設けたクリック腕５０とを一体に備えている。第１レバー４５は、揺動のみ自在に支持されて、その揺動先端がロック片４４に連結されている。スイッチノブ６がオフ位置にあるとき、ロック片４４の枠体４８の一部と、第１レバー４５の揺動基部とが前後に重なるようにすることができる。
【００１２】
【発明の作用効果】
この発明では、かみそりヘッド２Ｂが本体ケース１に対して上下動自在に支持された電気かみそりにおいて、本体ケース１を上面のみが開口する有底筒状に形成して、従来必須であった底ケースを省略したので、底ケースを省略できる分だけ構成部品点数と組み立ての手間を減らせるうえ、ケース構造およびこれに付随する密封個所数が減少し、全体として電気かみそりの製造に要するコストを削減化できる。また、本体ケース１の上面開口からケース内に装填した電装品ユニット２Ａは、ケース底壁側からねじ込んだビス３８で本体ケース１に直接に締結するので、作動ユニット２と本体ケース１とを強固に締結して一体化でき、底ケースが介在する場合に比べて本体ケース１の構造強度が格段に向上する。
【００１３】
スイッチパネル３の内外面に組み付けられる外操作機構４２Ａと、本体ケース１内に組み付けられる内操作機構４２Ｂとでスイッチ機構を構成し、本体ケース１に開口した通口５６を介して両操作機構４２・４３が連動可能に連結されていると、本体ケース１に１個の通口５６を設けるだけで、外操作機構４２Ａの動作を内操作機構４２Ｂに伝えることができるので、通口５６における防塵あるいは防水のためのシール構造が簡素化する。
【００１４】
かみそりヘッド２Ｂと電装品ユニット２Ａとの間にシール体１５を装着し、このシール体１５で本体ケース１の開口とかみそりヘッド２Ｂとの間が封止されていると、浮動支持されたかみそりヘッド２Ｂが傾動変位する場合にも、かみそりヘッド２Ｂの動きに影響を受けることなく本体ケース１の開口とかみそりヘッド２Ｂとの間をシールでき、異物の侵入を嫌う電装品ユニット２Ａを確実に保護できることになり、とくに電気かみそりを水洗い可能に構成する場合の防水機能が確実なものになる。１個のシール体１５のみで封止開口をシールできるのでシール構造の簡素化も図れる。
【００１５】
本体ケース１の前面から両側面にわたって、装着部９を段落ち状に形成したうえで、前壁３ａと左右の側壁３ｂとを含んで樋体断面状に形成したスイッチパネル３を装填部９に装着固定する電気かみそりによれば、スイッチパネル３と本体ケース１との接合縁の全てないしは殆どの部分を、本体ケース１の左右両側に位置させることができる。従って、ひげそり時に毛屑がスイッチパネル３の前表面に降りかかったとしても、毛屑がスイッチパネル３の周縁隙間やパネル内部に入り込む余地がなく、電気かみそりを常に清潔な状態で使用できる。スイッチパネル３が装着部９に装着された状態においては、その左右の側壁３ｂが本体ケース１の両側面へ回り込むので、例えば左右方向の外力がスイッチパネル３に衝撃的に作用したとしても、側壁３ｂと本体ケースとの協同作用で先の外力を受け止めることができる。従って、強い衝撃力を受けても、スイッチパネル３が本体ケース１から脱落するのを確実に防止して、その組み付け状態を維持し続けることができる。樋体断面状に形成したスイッチパネル３は、従来の平板状のスイッチパネルに比べて、より高度の構造強度を発揮し、その分だけスイッチパネル３の頑丈さが向上する。
【００１６】
スイッチパネル３の内外にロック片４４およびスイッチノブ６を同行スライド可能に配置し、ロック片４４とこれに連結した第１レバー４５とで、ロック片４４のスライド動作を揺動動作に変換するようにしたスイッチ機構によれば、スイッチノブ６をスライド操作するときの操作力或いはスイッチノブ６に加わる外力を先ずロック片４４で受け止めて、スイッチノブ６の操作力或いはスイッチノブ６に加わる外力が、小部品である第１レバー４５に直接作用するのを防止できるので、第１レバー４５の耐久性を向上できる。第１レバー４５の動作を本体ケース１内の第２レバー４６に伝えて、スイッチピース４７をスライド切り換え操作できるようにすると、本体ケース１に設けた通口５６を円孔で形成して、通口５６と第１レバー４５との間の隙間を、構造が簡単なシールリング５７で確実に封止できる。
【００１７】
スイッチノブ６がオフ位置にあるとき、ロック片４４のロック腕４９はスイッチパネル３の受リブ５１に受け止められて上方へのスライドが規制されている。ボタン６ｂを押し込みロック腕４９を係合解除した後、スイッチノブ６全体をスライド操作すると、スイッチノブ６をオン状態に切り換えることができる。このとき、ロック腕４９を支持する枠体４８に押し込み力が作用し、本体ケース１側へ弾性変形しようとする。しかし、ロック片４４の枠体４８の一部と、第１レバー４５の揺動基部とが前後に重なるようにしたスイッチ機構によれば、スイッチノブ６の押し込み力は枠体４８を介して第１レバー４５で受け止めて、枠体４８が弾性変形するのを防止できるので、ロック腕４９を受リブ５１から確実に係合解除操作できる。また、スイッチノブ６の押し込み力を受けた第１レバー４５を第２レバー４６に押し付けて両レバー４５・４６を確りと嵌合でき、第１レバー４５の揺動動作が確実に第２レバー４６に伝わり、スイッチピース４７を適正に切り換えることができる。
【００１８】
【実施例】
図１ないし図１４はこの発明に係る電気かみそりの実施例を示す。この電気かみそりは水洗い清掃できるように構成してある。図１ないし図４において、電気かみそりは本体ケース１と、本体ケース１に差し込み装填される作動ユニット２と、本体ケース１の前側外面に装着されるスイッチパネル３と、ケース後面の上下に配置されるきわぞり刃ユニット４および切換ノブ５などを備えている。スイッチパネル３の上下には、モーター起動用のスイッチノブ６や、運転状態を表示する表示灯７などを設けてある。
【００１９】
図３において本体ケース１は、上面のみが開口する有底筒状のプラスチック成形品からなり、その前面および側面前部をそれぞれケース後半部よりも段落ち状に形成して、スイッチパネル３が装着される装着部９を形成し、装着部９の左右両側面には係合爪１０が４個ずつ突出形成されている。装着部９の周囲の段部には、縦長の係合溝１１が断続的に形成してある。本体ケース１の底部には、図６に示すように充電用のソケット穴１２が下向きに開口する状態で凹み形成されている。
【００２０】
図３においてスイッチパネル３は、前壁３ａと、前壁３ａの左右両側に後ろ向きに延びる左右の側壁３ｂと、前壁３ａの下端につながる底壁３ｃとを一体に備えた樋体状のプラスチック成形品からなる。各側壁３ｂの内面上下には、先の係合爪１０と係合する係合凹部１３を設け、側壁３ｂの周側縁に先の係合溝１１で受け止められる接合片１４を突設してある。スイッチパネル３を装着部９に被せ付け、図７に示すようにその接合片１４を係合溝１１に差し込み係合しながら、係合凹部１３を係合爪１０に圧嵌係合することにより、スイッチパネル３は本体ケース１に一体化できる。この組み付け状態において、左右の側壁３ｂの外面は本体ケース１のケース後半部の表面と滑らかに連続している（図３参照）。スイッチパネル３にはスイッチノブ６を含むスイッチ構造を設けるが、その詳細は後述する。
【００２１】
図１において作動ユニット２は、下半側の電装品ユニット２Ａと、その上部に設けられるかみそりヘッド２Ｂとからなり、これら両者２Ａ・２Ｂの間にキャップ状の防水シール（シール体）１５を設けてある。電装品ユニット２Ａは、プラスチック成形品からなるフレーム１６に、２次電池１７と、スイッチやＬＥＤ、および電子部品などが実装された回路基板１８を組み付けて構成してある。フレーム１６の上部にはモーター収容部１９を一体に設けてあり、このモーター収容部１９と後述するモーターホルダー３１との間に防水シール１５を被せ付けてある。フレーム１６の下端には、左右一対のねじボス２０を設け、その間に充電用の一対のプラグピン２１が配されている。
【００２２】
かみそりヘッド２Ｂは、回転式の内刃２３、外刃２４および外刃ホルダー２５を含むひげそりブロックと、モーター２６と、モーター動力を内刃２３や先のきわぞり刃ユニット４へ伝える伝動機構などで構成されている。
【００２３】
図４および図５において、ひげそりブロックは、ヘッドベース２８およびヘッドフレーム２９と、ヘッドフレーム２９の下部を前後に挟んでギヤ室を区画する前後一対の伝動ケース３０などを外殻体にして構成してある。モーター２６は、ヘッドベース２８の下面に固定したモーターホルダー３１に収容してある。モーター２６の出力軸とヘッドベース２８との間は、防水シール３２で封止してある。モーターホルダー３１の上部には環状壁を形成してあり、この環状壁とヘッドベース２８とで防水シール１５の上部を挟持して封止している。モーター２６の動力は、ギヤ室内に配置したフェースギヤ３３や、ヘッドフレームの側面に沿って配置したギヤトレイン３４を介して内刃２３に伝わり、さらに偏心カム３５を介してきわぞり刃ユニット４に伝わる。
【００２４】
図５に示すように、モーターホルダー３１をフレーム１６のモーター収容部１９で浮動支持することにより、かみそりヘッド２Ｂの全体は、前後・左右に傾動変位でき、さらに上下に変位できる。かみそりヘッド２Ｂの浮動支持構造は、左右一対のばね３６でかみそりヘッド２Ｂを押し上げ付勢して浮動支持したうえで、モーターホルダー３１とモーター収容部１９との間に設けた抜止め構造３７で、かみそりヘッド２Ｂを抜け止め状に保持する。かみそりヘッド２Ｂの全体が上下動することによって、ひげそり時の肌への負担を軽減することができる。また、かみそりヘッド２Ｂは、前後および左右へも傾動変位できるので、肌の凹凸に追随しながら確実にひげそりを行える。
【００２５】
上記構成の作動ユニット２を本体ケース１に上方から差し込み装填し、図６に示すごとくケース底に下方から挿通したビス３８をねじボス２０にねじ込むことにより、作動ユニット２を本体ケース１と一体化できる。この組み付け状態において、防水シール１５の周側面が本体ケース１の周壁内面に密着して、電装品ユニット２Ａと本体ケース１との間を封止する。ねじボス２０、およびソケット穴１２内へ突出するプラグピン２１は、それぞれシールリング３９で封止される。
【００２６】
スイッチノブ６を含むスイッチ機構を図８以下に示す。スイッチ機構は、スイッチパネル３の内外面に組み付けられる外操作機構４２Ａと、本体ケース１の内部に組み付けられる内操作機構４２Ｂとからなる。外操作機構４２Ａは、スイッチノブ６と、ロック片４４と、第１レバー４５とで構成する。内操作機構は、第２レバー４６とスイッチピース４７とで構成する。
【００２７】
スイッチノブ６は、スイッチパネル３に開口したスライド穴４３で上下スライドのみ自在に支持される円盤状のノブ６ａと、ノブ６ａの中央に組み付けられるロック解除用のボタン６ｂとで構成してあり、ボタン６ｂを押し込み操作した状態でのみノブ６ａを上下スライドできる。ノブ６ａの内面左右には、スライド穴４３に係合する一対の脚片６ｃを突設してある。スイッチパネル３の内面には、ノブ６ｂに同行して上下スライドするロック片４４と、ロック片４４の上下スライド動作を往復揺動動作に変換する第１レバー４５とを設けてある。第１レバー４５の揺動動作は本体ケース１内に設けた第２レバー４６へ伝えられ、この第２レバー４６でスイッチピース４７を上下にスライド操作することにより、モーター２６への通電状態をオン状態とオフ状態とに切り換える。
【００２８】
ロック片４４は、四角形状の枠体４８と、枠体４８の内部に設けた十文字状のロック腕４９と、枠体４８の下部に設けたクリック腕５０とを一体に備えたプラスチック成形品からなる。枠体４８は脚片６ｃを介してノブ６ａと連結してある。具体的には、脚片６ｃの先端に一体で成形された爪を枠体４８の貫通孔に抜け止め状に挿通している（図９、図１０参照）。これにより、ロック片４４をスイッチノブ６で上下にスライド操作できる。ノブ６ａが下方のオフ位置にあるとき、ロック腕４９の上縁がスライド穴４３の内面上縁に設けた受リブ５１に接当するので、スイッチノブ６は上方スライドできない。ボタン６ｂを押し込み操作すると、ロック腕４９が本体ケース１側へ弾性変形して受リブ５１から離れるので、この状態ではスイッチノブ６を上方スライドできる。ノブ６ａをオンオフ切り換え操作するとき、一対のクリック腕５０は、スイッチパネル３の内面に設けた節動ピン５２を弾性変形しながら上下に乗り越えてクリック感を生じさせ、さらに各切り換え位置を保持する。
【００２９】
第１レバー４５はスイッチパネル３の内面に設けたレバーピン５３で揺動可能に支持してあり、その揺動先端の受動ピン５４がクリック腕５０の上部の連動溝６１に差し込み連結してある。第１レバー４５の揺動基端には操作軸５５を突設してあり、この操作軸５５で本体ケース１内に設けた第２レバー４６が揺動操作される。そのために、本体ケース１の前壁に通口５６を開口してあり、操作軸５５が通口５６から本体ケース１内に臨んでいる。通口５６と操作軸５５との間はシールリング５７で封止する。操作軸５５の先端側は非円形断面状に形成してあり、この軸部分を第２レバー４６の揺動中心の係合溝５８に差し込み係合することにより、第２レバー４６を揺動操作できる。第２レバー４６はフレーム１６で揺動自在に支持してあり、その揺動先端のピン５９がスイッチピース４７の連動溝６０に係合している。
【００３０】
スイッチノブ６、ロック片４４、第１レバー４５の三者はスイッチパネル３に組み付けてあり、スイッチノブ６がオフ位置にあるとき、図９および図１０に示すように、ロック片４４の枠体４８の下部内面に第１レバー４５の揺動基部が覆い被さる。つまり、スイッチパネル３に内面にロック片４４が隣接し、枠体４８の下部内面に第１レバー４５の揺動基部が隣接している。この前後方向の位置差を得るために、図８に示すごとくレバーピン５３の下方に部分円弧状のリブ６３を突設し、このリブ６３で第１レバー４５の揺動基部を受け止めている。ロック片４４のクリック腕５０は、枠体４８よりも本体ケース１側に位置ずれする状態で段落ち状に形成してある。オフ状態のスイッチ機構を図１１に、オン状態に切り換えた同機構を図１２にそれぞれ示している。
【００３１】
上記のように、枠体４８の下部と第１レバー４５の揺動基部とが前後に重ねて配置されていると、ボタン６ｂを押し込み操作してロック腕４９を係合解除した後、スイッチノブ６全体をスライド操作するときに、スイッチノブ６（ノブ６ａ、ボタン６ｂ）の押し込み力が枠体４８を介して第１レバー４５で受け止められ、枠体４８が弾性変形するのを防止できるので、ロック腕４９を受リブ５１から確実に係合解除操作できる。とくに、スイッチノブ６に予期しない外力が加わってもロック腕４９が受リブ５１から解除されることがない。つまり、衝撃によって容易にロック腕４９の係合が解除されてしまうと、スイッチノブ６が不用意にスライド動作し、これによってモーター２６が駆動して電池１７を無駄に消費するおそれがあるが、第１レバー４５の規制作用によって、ロック腕４９が受リブ５１から解除されることを確実に防止し、先のような問題を解消できる。
【００３２】
また、スイッチノブ６の押し込み力を受けた第１レバー４５を第２レバー４６に押し付けて両レバー４５・４６を確りと嵌合できるので、第１レバー４５の揺動動作を確実に第２レバー４６に伝え、スイッチピース４７を適正に切り換えることができる。上述したようにスイッチノブ６とロック片４４は脚片６ｃを介して連動可能に連結されるが、この連結部（固定部）を境界線として、その上方側にロック腕４９を位置させ、下方側に第１レバー４５の受動ピン５４が係合する連動溝６１を形成しているので、ボタン６ｂの押し込み力を受けて枠体４８が本体ケース１側に変形しようとしても、上記連結部（固定部）でその動きが規制されることで、第１レバー４５の受動ピン５４と連動溝６１との連結外れを防止できる。
【００３３】
内刃２３ないし外刃２４を清掃するために、図１３および図１４に示す清掃具６５が用意される。清掃具６５は、ホルダー６６と、ホルダー６６内に配置されて回転自在に軸支した回転ブラシ６７と、ホルダー６６の後面下部に直線状に植設された横向きのブラシ６８とからなる、ホルダー６６は下向きに開口する断面逆Ｕ字状のケース部６９と、ケース部６９の後面下部に膨出されて横向きに開口するソケット７０とを一体に形成したプラスチック成形品からなり、ケース部６９の上半部の前後に、縦長の通水口７１の一群が一定間隔置きに通設されている。ケース部６９の前後壁の下端縁には、それぞれ内刃フレーム７２に係合する弾性爪７３が左右方向に２個ずつ形成してある。回転ブラシ６７はケース部６９の内面上方に配置し、ブラシ６８はソケット７０に装着固定されている。
【００３４】
清掃具６５を内刃フレーム７２に装着した図１３の状態において、回転ブラシ６７は内刃２３の周面に接触しており、従ってスイッチノブ６をオン操作して内刃２３を回転駆動すると、回転ブラシ６７が内刃２３と逆向きに回転駆動されて、螺旋刃に付着した毛屑や皮脂などを除去できる。このとき、内刃フレーム７２に装着したホルダー６６で、伝動ケース３０に設けた安全スイッチ７４を押し込んで切り換えた状態においてのみモーター２６の駆動を可能として、内刃２３が露出する状態のままで回転駆動されるのを防止している。清掃具６５を内刃２３の洗浄のため内刃フレーム７２に装着した状態で、取り外した外刃２４や外刃ホルダー２５をブラシ６８にあてがって清掃できるので、内刃２３を洗浄しながら、外刃２４、および外刃ホルダー２５の洗浄を同時に行うことができる利点もある。
【００３５】
上記の実施例では、モーター２６を含むかみそりヘッド２Ｂの全体を浮動支持したが、モーター２６を除くかみそりヘッド２Ｂのみを浮動支持することができる。この場合のモーター２６はフレーム１６に固定する。スイッチパネル３は、本体ケース１の前面の全てを覆う構造とする必要はなく、図１５に示すように、本体ケース１の上半部のみを覆うように形成することができる。この発明は内刃９が複数個設けてある電気かみそりや、レシプロ式の内刃を備えた電気かみそりなどにも適用できる。
【図面の簡単な説明】
【図１】全体の分解正面図である。
【図２】全体の正面図である。
【図３】正面側から見た斜視図である。
【図４】全体の縦断側面図である。
【図５】かみそりヘッドの浮動支持構造を示す縦断正面図である。
【図６】かみそり下部の縦断正面図である。
【図７】スイッチパネルの固定構造を示す断面図である。
【図８】スイッチ機構の分解斜視図である。
【図９】外操作機構をスイッチパネルの内面から見た背面側図である。
【図１０】図９におけるＡ−Ａ線断面図である。
【図１１】オフ状態のスイッチ機構の正面図である。
【図１２】オン状態のスイッチ機構の正面図である。
【図１３】清掃具の使用状態を示す縦断側面図である。
【図１４】清掃具の背面図である。
【図１５】スイッチパネルの別実施例を示す斜視図である。
【符号の説明】
１　本体ケース
２　作動ユニット
２Ａ　電装品ユニット
２Ｂ　かみそりヘッド
３　スイッチパネル
１５　防水シール
２６　モーター
３８　ビス
【図１】
2004016272.tif 000003
【図２】
2004016272.tif 000004
【図３】
2004016272.tif 000005
【図４】
2004016272.tif 000006
【図５】
2004016272.tif 000007
【図６】
2004016272.tif 000008
【図７】
2004016272.tif 000009
【図８】
2004016272.tif 000010
【図９】
2004016272.tif 000011
【図１０】
2004016272.tif 000012
【図１１】
2004016272.tif 000013
【図１２】
2004016272.tif 000014
【図１３】
2004016272.tif 000015
【図１４】
2004016272.tif 000016
【図１５】
2004016272.tif 000017